(57)【要約】【課題】  食品容器のオーバーキャップに代えて、樹脂使用量を可及的に減少しつつカップ型容器の密封シールを確実に保護することができるリングキャップを提供する。【解決手段】  合成樹脂で一体成形して、容器１上面の面内方向に向けた上面フランジ３１と、容器１外周端下方に向けた側面フランジ３２を断面Ｌ字状乃至Ｖ字状に交差配置し且つ上面フランジ３１の面内に円形径大の透孔３３を配置してリング状とし、側面フランジ３２の内周面に容器１のリム１１に係止する係止部３４を配置してリングキャップ３とする。上面フランジ３１と側面フランジ３２で容器１のリム１１を保持することによって密封シール２を保護する。使用樹脂量を減少するとともに透孔３３を介して容器１を密封シール２上に積み重ねることができ、また、透孔３３によって密封シール２のデザイン２１を視認することができる。【選択図】  図１
2012176789.tif 000002
【特許請求の範囲】
【請求項１】
密封シールで上面をシールしたカップ型容器に被嵌使用する密封シール保護用のキャップであって、容器上面の面内方向及び外周端下方に向けて断面Ｌ字状乃至Ｖ字状をなすように交差配置した上面フランジと側面フランジを備えるとともに上記上面フランジによって面内に区画配置した上記容器の底面を受入自在の広面積の透孔を備えてリング状とし且つ上記側面フランジの内周に容器上端縁部に係止自在の係止部を備えて合成樹脂で一体成形してなることを特徴とする密封シールのリングキャップ。
【請求項２】
上記容器を平面円形のカップ型容器とし、上記広面積の透孔を、容器底面より径大の円形の透孔としてなることを特徴とする請求項１に記載の密封シールのリングキャップ。
【請求項３】
上記密封シールに、上記透孔を介して視認自在のシールデザインを備えてなることを特徴とする請求項１又は２に記載の密封シールのリングキャップ。
【発明の詳細な説明】
【技術分野】
【０００１】
本発明は、食品充填のカップ型容器においてその密封シールを保護するように用いる密封シールのリングキャップに関する。
【背景技術】
【０００２】
例えば、ヨーグルト等各種の容器充填食品は、カップ型容器の上面を密封シールでシールした上、該密封シールの破損を防止するように該密封容器の上面をオーバーキャップによって被覆して出荷するものとされるところ、下記特許文献１に示すオーバーキャップは、平面円形のカップ型容器上面の面内方向にその大半を上方に隆起して、上面を平坦な面とした隆起キャップと外周端下方に向けた側面フランジを備え且つ該側面フランジに容器上端縁部に係止自在の係止部を備えて、薄肉の透明フィルムで一体成形したものとされており、このとき係止部は、これを、側面フランジを内側に切り起し配置した断続配置多数の舌状の切り起し片によりものとされている。
【先行技術文献】
【特許文献】
【０００３】
【特許文献１】特開２００７−１８６２６４号公報
【発明の概要】
【発明が解決しようとする課題】
【０００４】
この場合、密封シールの保護を確実になし得る上、密封シールを部分的に開放した後に保存する場合で、該密封シールを容器に確実に保持して、密封性を確保することができるし、搬送や店頭展示に際して容器充填食品を積重ね配置することができるというメリットがある。
【０００５】
しかし乍ら、上記のように容器上面を完全に覆うオーバーキャップは、使い勝手がよいとしても、その原料、即ち樹脂の使用量が多く、従って、飲食後に生じるごみの量が多いという問題点があり、その改善が求められる。
【０００６】
本発明はかかる事情に鑑みてなされたもので、その解決課題とするところは、樹脂使用量を可及的に減少しつつ、密封シールの保護を可及的有効且つ確実になし得るようにした密封シールのリングキャップを提供するにある。
【課題を解決するための手段】
【０００７】
上記課題に沿って検討したところ、この種のカップ型容器に用いられる密封シールは、例えば、樹脂フィルム、アルミ箔、ホットメルト層を積層して形成したものとされ、それ自体比較的強度に優れていること、ホットメルト層の熱溶着によって容器の上端に面接着又は線接着してあること、従って、密封シールは、弛み等なく容器と確実に一体化して容器をシールしていることに着目すると、密封シールを容器上で露出しても、該密封シールにこれを破損するような強い外力が作用する可能性は極めて少なく、特に、容器上端の縁部近傍を上面と側面で保持する如くに密封シール上から被覆する措置を施せば、該密封シールの破損の可能性を極小化し得るとともに密封シールを部分的に開放した後に保存する場合にも、該密封シールを容器に確実に保持して密封性を確保し得る上、搬送や店頭展示に際して、上段に食品充填容器を積み重ね配置しても、下段の食品充填容器の密封シールが数百グラム程度の荷重支持を確実に果して、該密封シールが凹陥したり、弛んだりすることも有効に防止し得るとの知見を得るに至った。
【０００８】
本発明はかかる知見に基づいてなされたもので、即ち、請求項１に記載の発明を、密封シールで上面をシールしたカップ型容器に被嵌使用する密封シール保護用のキャップであって、容器上面の面内方向及び外周端下方に向けて断面Ｌ字状乃至Ｖ字状をなすように交差配置した上面フランジと側面フランジを備えるとともに上記上面フランジによって面内に区画配置した上記容器の底面を受入自在の広面積の透孔を備えてリング状とし且つ上記側面フランジの内周に容器上端縁部に係止自在の係止部を備えて合成樹脂で一体成形してなることを特徴とする密封シールのリングキャップとしたものである。
【０００９】
請求項２に記載の発明は、上記に加えて、カップ型容器として一般的な平面円形の容器の場合における好ましい形態のものとするように、これを、上記容器を平面円形のカップ型容器とし、上記広面積の透孔を、容器底面より径大の円形の透孔としてなることを特徴とする請求項１に記載の密封シールのリングキャップとしたものである。
【００１０】
請求項３に記載の発明は、同じく上記に加えて、上記透孔によって密封シールの該部分が容器外に露出することから、該透孔を活用して、該透孔を介して密封シールに施した商品名、図柄等のシールデザインを視認し得るものとするように、これを、上記密封シールに、上記透孔を介して視認自在のシールデザインを備えてなることを特徴とする請求項１又は２に記載の密封シールのリングキャップとしたものである。
【００１１】
本発明はこれらをそれぞれ発明の要旨として、上記課題解決の手段とするものである。
【００１２】
なお本発明においてカップ型容器とは、裁頭逆円推形乃至裁頭逆角錐形の外観を呈する容器を意味するように、これを用いる。
【発明の効果】
【００１３】
本発明は以上のとおりに構成したから、請求項１に記載の発明は、容器上端の縁部近傍を上面と側面で保持するように密封シール上から被覆して、該密封シールの破損の可能性を極小化し得るとともに密封シールを部分的に開放した後に保存する場合にも該密封シールを容器に確実に密封状態に保持し得る上、搬送や店頭展示に際して、上段に食品充填容器を積み重ね配置しても、下段の食品充填容器の密封シールが数百グラム程度の荷重支持を確実に果して、該密封シールが凹陥したり、弛んだりすることも有効に防止して、樹脂使用量を可及的に減少しつつ、密封シールの保護を可及的有効且つ確実になし得るようにした密封シールのリングキャップを提供することができる。
【００１４】
請求項２に記載の発明は、上記に加えて、カップ型容器として一般的な平面円形の容器の場合における好ましい形態のものとすることができる。
【００１５】
請求項３に記載の発明は、同じく上記に加えて、上記透孔によって密封シールの該部分が容器外に露出することから、該透孔を活用して、該透孔を介して密封シールに施した商品名、図柄等のシールデザインを視認し得るものとすることができる。
【図面の簡単な説明】
【００１６】
【図１】カップ型容器とリングキャップの関係を示す分解斜視図である。
【図２】リングキャップを用いたカップ型容器の部分切欠側面図である。
【図３】リングキャップを用いたカップ型容器の部分拡大縦断面図である。
【発明を実施するための形態】
【００１７】
以下図面の例に従って本発明を更に具体的に説明すれば、１は、密封シール２で上面をシールした、本例にあって平面円形のカップ型容器であり、本例にあって該カップ型容器１は、例えば４００ｍｌのヨーグルトを充填した、外径及び高さをそれぞれ１０ｃｍ程度、底面を、上記外径の上端より１．５ｃｍ程度径小の７ｃｍ程度とし、上端に２〜３ｍｍ厚のリムを備えた、上記平面円形をなす裁頭逆円錐形にして紙乃至合成樹脂製のものとしてある。
【００１８】
密封シール２は、例えば図示省略のアルミ箔と、表面の樹脂フィルム、下面のホットメルト層を積層して形成し、上記樹脂フィルムの裏面に印刷を施すことによって、容器充填食品に応じた商品名、図柄等のシールデザイン２１を表出したものとしてあり、容器に充填物、本例にあってはヨーグルトを充填後に、該容器１のリム１１に密封シール２を載置加熱することによって該リム１１に熱溶着して該容器１開口を閉塞密封するものとしてあり、このとき本例の密封シール２は、上記容器１の外径より幾分径大とするとともにその外周の一部に、シール剥離のための手掛け用のプルタブ２２を突出配置したものとしてある。
【００１９】
該カップ型容器１は、これに被嵌使用する密封シール２の保護用のキャップ３を備えてあり、該キャップ３は、容器１上面の面内方向及び外周端下方に向けて断面Ｌ字状乃至Ｖ字状をなすように交差配置した上面フランジ３１と側面フランジ３２を備えるとともに上記上面フランジ３１によって面内に区画配置した上記容器１の底面を受入自在の広面積の透孔３３を備えてリング状とし且つ上記側面フランジ３２の内周に容器１上端縁部、本例にあっては上記リム１１に係止自在の係止部３４を備えて合成樹脂で一体成形したリングキャップとしてある。
【００２０】
本例にあって該リングキャップ３は、例えば０．５ｍｍ程度以下、本例にあっては０．３乃至０．４ｍｍ厚さのポリプロピレンを射出成形することによって一体成形したポリプロピレン樹脂製のものとしてある。該リングキャップ３は、上記容器１外径に合わせて外径を１０ｃｍ程度、高さ幅、即ち側面フランジ３２の幅を１ｃｍ程度としたものとし、このとき該リングキャップ３は、その上面フランジ３１を外周端から、同じく１ｃｍ程度、容器１の面内方向に向けて張出突出し、その外周端から上記側面フランジ３２を下方、本例にあっては下方外方に向けて緩傾斜するように交差配置して、上記上面フランジ３１と該側面フランジ３２の角度を、例えば１００°弱、本例にあって９７乃至９８°の鈍角をなすように断面Ｖ字状をなすものとしてある。
【００２１】
このとき、該リングキャップ３は、上面フランジ３１の面内に該上面フランジ３１によって区画配置、即ち上面フランジ３１が外周を画するように配置した径大の透孔３３、本例にあっては円形の透孔を透設具備したものとしてある。該透孔３３は、上記外径１０ｃｍ程度にして上面フランジ３１の張出突出幅１ｃｍ程度の、本例のリングキャップ３にあって、その直径を８ｃｍ程度として、容器１の底面における上記７ｃｍ程度の径より、例えば１ｃｍ程度その径を拡大した径大のものとしてある。
【００２２】
また、該リングキャップ３の上記側面フランジ３２は、その上記係止部３４として、本例にあって、該側面フランジ３２の内周面に内側に膨出した膨出突条を、上記一体成形によって配置してあり、このとき該膨出突条は、上面フランジ３１の下面から上記リム１１の厚さ分下方の位置に、例えば突出幅を１ｃｍ乃至１ｃｍ強程度とし、該リングキャップ３を容器１に被嵌配置したとき、該膨出突条がリム１１を乗り越えて該リム１１の下位に弾発的に係止することによって、該容器１上端縁部に係止自在としてある。
【００２３】
このように形成したリングキャップ３は、上記係止部３４を、容器１上端の縁部、即ちリム１１に係止することによって被嵌配置して、その密封シール２を保護するようにこれを用いるものとしてあり、該被嵌配置によって、上面フランジ３１が容器１外周端からその面内方向に張り出して、密封シール２の外周部位を被覆する一方、上面フランジ３１に交差配置した一体の側面フランジ３２が、密封シール２の容器１外径より径大にして該容器より外側の張出部位を巻き込むように配置した外周端をリム１１に圧着して、容器１上端の縁部近傍を上面と側面で保持するように被覆する結果、該密封シール２の破損の可能性を極小化することができ、密封シール２を部分的に開放した後に容器１を保存する場合も、該密封シール２を同様に容器１に確実に保持して容器１の密封状態を確保することができる。また、出荷後の搬送や店頭展示に際して、リングキャップ３の透孔３３を介して、密封シール２上に他の容器１を直置き上に載置して、容器１の積み重ねを行っても、下段に位置することになる食品充填容器１の該密封シール２は、上段の上記４００ｍｌ又はそれ以上の容量の場合を含めて、その荷重支持を確実に行って、該密封シール２が凹陥したり、弛んだりすることも有効に防止することができる。このとき、密封シール２は、上記商品名、図柄等のシールデザイン２１を有しているところ、該シールデザイン２１は、リングキャップ３の透孔３３、本例にあっては円形にして径大の透孔を介して視認自在となるから、該シールデザイン２１によって商品の購買意欲を増進することもできる。従って、リングキャップ３として、面内に広面積の透孔３３を配置したことにより該面積分の樹脂使用量を減少する一方、密封シール２の保護を有効且つ確実に行うとともに利便性に優れ且つ商品販売上に影響のないものとすることが可能となる。
【００２４】
図示した例は以上のとおりとしたが、リングキャップの色調によって容器パッケージのアクセントとするように、該リングキャップを活用すること、容器を、上記リムに変えて外周に張出配置したフランジを有するものとし、係止部を該フランジに係止可能なものとすること、上面フランジを、容器外周端と面内先端間の中間を上方浮し状に突出するように屈曲形成して、該容器外周端と面内先端をそれぞれ所定幅で密封シールに対接することによって該密封シールの保護を行うようにすること、このとき該容器外周端と面内先端をそれぞれ断面倒Ｓ字状をなすように屈曲することによってその中間を上方に屈曲形成したものとすること、上面フランジと側面フランジを断面Ｌ字状とし、また鋭角の断面Ｖ字状とするように配置すること、カップ型容器を他の形状、即ち裁頭逆角錐形の外観を呈するものとし、リングキャップを上記と同様に該容器に被嵌配置するように構成し且つその広面積の透孔を平面矩形乃至方形のものとすること等を含めて、本発明の実施に当って、カップ型容器、密封シール、リングキャップ、上面フランジ、側面フランジ、透孔、係止部等の各具体的形状、構造、材質、寸法、これらの関係、これらに対する付加は、上記発明の要旨に反しない限り様々な形態のものとすることができる。
【符号の説明】
【００２５】
１  カップ型容器
１１  リム
２  密封シール
２１  シールデザイン
２２  プルタブ
３  リングキャップ
３１  上面フランジ
３２  側面フランジ
３３  透孔
３４  係止部
【図１】
2012176789.tif 000003
【図２】
2012176789.tif 000004
【図３】
2012176789.tif 000005